【事件の表示】
　平成１１年特許願第３０９２４７号「包装体の製造方法及び製造装置」拒絶査定不服審判事件〔平成１３年　１月　９日出願公開、特開２００１−　　２００６〕について、次のとおり審決する。
【結　論】
　本件審判の請求は、成り立たない。
【理　由】
 １．手続の経緯・本願発明
　本願は、特願平１１−１１１７９９号（出願日、平成１１年４月２０日）を国内優先出願とする平成１１年１０月２９日の出願であって、その請求項１〜７に係る発明は、平成１４年５月２０日付け手続補正書によって補正された明細書および図面の記載からみて、明細書の特許請求の範囲の請求項１〜７に記載されたとおりのものであると認められるところ、請求項７に係る発明は次のとおりのものである。
「【請求項７】充填物が収納された容器の開口縁に概ね沿う輪郭を有する封口片が該開口縁に外側から添設されてなる包装体の製造装置であって、開口縁を開放せしめた状態で充填物が収納された容器を設置する容器設置手段と、開口縁に対面する状態でフィルム素材を開口縁の近傍に設置するフィルム設置手段と、容器の開口縁に概ね沿う外周形状を有する押圧盤によりフィルム素材を開口縁に押付け保持するフィルム保持手段と、容器の開口縁に沿う刃形状を有する筒状の熱刃によりフィルム素材を開口縁に沿って打抜くことにより開口縁に外側から添設された封口片を形成せしめる打抜き手段と、押圧盤の一部又は熱刃の一部に形成した加熱押圧部により封口片の周縁を開口縁に対して加熱押圧せしめ、封口片の周縁を開口縁に溶着せしめる手段及び押圧盤及び熱刃を容器の開口縁から退避せしめる退避手段とを有することを特徴とする包装体の製造装置。」（以下、「本願発明」という）
     　
２．原審の拒絶の理由および引用例
　原審の拒絶の理由の概要は、「本願の請求項１〜７に係る発明は、本願出願前に頒布された刊行物である特開平１０−１０５８２７号公報、特開平７−４０９０８号公報、特開平１０−１４５０９号公報、特開昭５１−１２７８８８号公報、特開平９−１５６６０５号公報、特開平３−２９７０８号公報、実願平４−４８０７７号（実開平６−８２０２号）のＣＤ−ＲＯＭ（以下、「刊行物１」という）、特開昭５０−１３３０８１号公報に記載された発明に基づいて当業者が容易に発明をすることができたものであるから、特許法第２９条第２項の規定により特許を受けることができない」というものである。 
　　
３．刊行物の記載事項 
（１）刊行物１には、次のことが記載されている。
記載事項１−１：
「【請求項１】　容器Ｃおよびこれの口部に被せられた蓋材Ｌを、これらが複数の処理ステーションで順次停止させられるように同期させて間欠的に搬送する搬送手段と、搬送中の容器Ｃの口縁部に蓋材Ｌを加圧加熱し、その後に加圧冷却するための加熱ヘッドおよび冷却ヘッドを有するヒートシール装置と、容器にシールされた蓋材を容器Ｃの口縁部外周縁にそって打ち抜くための環状カッタを有するトリミング装置と、を備えている、カップ状容器の口部密封装置において、加熱ヘッドおよび冷却ヘッドが、２つの処理ステーションにそれぞれ別々に配置され、カッタが、加熱ヘッドおよび冷却ヘッドのいずれか一方を取り囲むように配置されていることを特徴とする、カップ状容器の口部密封装置。」（実用新案登録請求の範囲）
記載事項１−２：  
「＜実施例２＞　図３に示す実施例２のカップ状容器の口部密封装置は、実施例１と同様に、容器搬送コンベヤ11と、これの搬送経路始端から終端にかけて順次配置されている容器供給装置12、充填装置13、蓋材供給装置64、シール装置15および容器排出装置16とを備えている。シール装置15には、トリミング装置67が併設されている。」（【００２２】）
記載事項１−３：  
「実施例１のトリミング装置17は、冷却ステーションＳ２に配置されていたが、実施例２のトリミング装置67は、加熱ステーションＳ１に配置されているものであって、加熱ヘッド押圧板34のボルト孔42に通されて加熱ヘッド押圧板34から吊下げられている吊りボルト81と、加熱ヘッド31をこれの高さの中程で取り囲むように配されかつ吊りボルト81によって吊下げられている環状カッタ取付板82と、カッタ取付板82の内縁部に垂下状に取付けられている垂直筒状カッタ83と、カッタ83の下端部を取り囲むように配されている環状蓋材押え84と、取付板82を摺動自在に貫通して蓋材押え84にねじ込まれているガイドボルト85と、ガイドボルト85を取り囲んで取付板82と蓋材押え84の間に介在されている圧縮ばね86とを備えている。実施例２では、加熱ヘッド押圧板34を下降させることにより、加熱ヘッド31が容器Ｃの口縁部に蓋材Ｌを熱融着させた直後に、蓋材押え84が熱融着部を押えた状態でカッタ83が下降させられることにより、蓋材Ｌの蓋となるべき部分が打ち抜かれる。そして、蓋をしたまま容器Ｃが、コンベヤ11で加熱ステーションＳ１から冷却ステーションＳ２に搬送され、冷却ヘッド33の下降動作によって蓋の熱融着部が冷却され、実施例１の場合と同様に、熱融着部のシール性が保証される。一方、送りロール74で蓋を打ち抜いた残りの蓋材Ｌが加熱ステーションＳ１から冷却ステーションＳ２を迂回してワインダ72まで搬送される。」（【００２５】〜【００２６】）
　以上のことより、刊行物１には、「容器Ｃおよびこれの口部に被せられた蓋材Ｌを、これらが複数の処理ステーションで順次停止させられるように同期させて間欠的に搬送する搬送手段と、搬送中の容器Ｃの口縁部に蓋材Ｌを加圧加熱し、その後に加熱ヘッドでヒートシール装置とを有し、充填物が収納された容器Cの開口縁に概ね沿う輪郭を有する蓋材Lが該開口縁に外側から添設される容器製造装置であって、加熱ヘッド押圧板３４を下降させ、加熱ヘッド３１が容器Ｃの口縁部に蓋材Ｌを熱融着させた直後に、蓋材押え８４が熱融着部を押えた状態でカッタ８３が下降させられ、蓋材Ｌの蓋となるべき部分が打ち抜かれることを特徴とする容器の口部密封装置。」（以下、「引用発明」という。）が記載されていると認められる。
　　
４．対比・判断
　引用発明（以下、「前者」という。）と、本願発明（以下、「後者」という。）とを比較する。
　前者の「容器」、「口縁部」、「蓋材」、「加熱ヘッド押圧板」は、それぞれ後者の「充填物が収納された容器」、「開口縁」、「封口片」、「押圧盤（押圧盤の一部に形成した加熱押圧部）」に相当し、前者の「充填物が収納されたカップ状容器の口部に概ね沿う輪郭を有する蓋材が口部に外側から添設されてなる口部密封装置」は表現が異なるが、後者の「充填物が収納された容器の開口縁に概ね沿う輪郭を有する封口片が該開口縁に外側から添設されてなる包装体の製造装置」に実質的に相当するから、両者は、「充填物が収納された容器の開口縁に概ね沿う輪郭を有する封口片が該開口縁に外側から添設されてなる包装体の製造装置であって、開口縁を開放せしめた状態で充填物が収納された容器を設置する容器設置手段と、開口縁に対面する状態でフィルム素材を開口縁の近傍に設置するフィルム設置手段と、容器の開口縁に概ね沿う外周形状を有する押圧盤によりフィルム素材を開口縁に押付け保持するフィルム保持手段と、容器の開口縁に沿う刃形状を有する筒状の刃によりフィルム素材を開口縁に沿って打抜くことにより開口縁に外側から添設された封口片を形成せしめる打抜き手段と、押圧盤の一部又は加熱押圧部により封口片の周縁を開口縁に対して加熱押圧せしめ、封口片の周縁を開口縁に溶着せしめる手段及び押圧盤及び刃を容器の開口縁から退避せしめる退避手段とを有することを特徴とする包装体の製造装置。」で一致し、次の点で相違する。
＜相違点＞
　本願発明は、打抜き手段となる、開口縁に沿う刃形状を有する筒状の刃として熱刃を用いるのに対して、刊行物１は打抜き手段となる、開口縁部に沿って打ち抜くための環状カッタとして熱刃ではないカッタを用いている点で相違（以下、「相違点」という。）する。
　そこで、打抜き刃として熱刃を用いることについて検討すると、打抜き刃として熱刃を用いることは本願発明出願前に当業者において周知（必要であれば、実開平１−６１００３号のマイクロフィルム参照。特に、「溶断用加熱体４の溶断用加熱素子４2で合成樹脂フィルムを溶断する」旨の記載（第９頁１行〜１１行）を参照）である。刊行物１と周知例とは、共に熱可塑性樹脂フィルムを溶断加工する技術分野に関するものであるから、この周知例の事項を刊行物１の発明に適用して、本願発明を想到することに格別のことはない。
　また、本願発明の課題について検討するに、本願発明の課題である、従来のように多数の封口片をストックしておかなくても、間欠的に移送される連続フィルムから打抜き手段で自動的に封口片を打抜くことで封口することができるとする点は、刊行物１においても打抜き手段を持ち、装置全体の全長短縮化【００２７参照】や、省スペース化を図ることが記載されており、しかも、この蓋材打抜き用カッタを適用することにより蓋材を特にストックすることなく逐次蓋材を供給していることは明らかであるから、当然、本願発明と同じ課題や目的を達成しているものと認められる故、その効果においても格別の差違はない。
　　
５．むすび
  上記のとおりであるから、本願発明は、刊行物１に記載の発明および周知の技術事項に基づいて当業者が容易に発明をすることができたものであるから、特許法第２９条第２項の規定により特許を受けることができない。
　それゆえ、本願は他の請求項に係る発明について判断するまでもなく、拒絶されるべきものである。
　よって、結論のとおり審決する。